(57)【要約】【課題】携帯可能なデータ転送装置を提供する。【解決手段】所定のディレクトリ構造に従って転送元半導体メモリ１５ａの所定のディレクトリ構造に従ってデータが記録された転送先半導体メモリ１５ｂへのデータ転送を行うデータ転送装置１であって、例えば、データ転送元半導体メモリ１５ａのディレクトリ“ＤＣＩＭ”からデータ転送先半導体メモリ１５ｂのディレクトリ“ＤＣＩＭ”へのデータ転送を行い、画像ファイルを転送する。【選択図】  図１
2004246508.tif 000002
【特許請求の範囲】
【請求項１】
２つの半導体メモリ装着部と、
一方の半導体メモリ装着部に装着された半導体メモリに記録されたデータを他方の半導体メモリ装着部に装着された半導体メモリに転送するデータ転送手段と
を備えることを特徴とするデータ転送装置。
【請求項２】
上記半導体メモリ装着部のうち、
一方は、データ転送元の半導体メモリを装着するデータ転送元半導体メモリ装着部、他方は、データ転送先の半導体メモリを装着するデータ転送先半導体メモリ装着部であり、
上記データ転送手段は、
上記データ転送元半導体メモリ装着部に装着されたデータ転送元半導体メモリから、上記データ転送先半導体メモリ装着部に装着されたデータ転送先半導体メモリへの片方向のデータ転送を行うことを特徴とする請求項１記載のデータ転送装置。
【請求項３】
上記半導体メモリは、
所定のディレクトリ構造に従ってデータが記録されており、
上記データ転送手段は、
上記所定のディレクトリ構造によって定義されたディレクトリのデータを上記データ転送元半導体メモリから読み出し、上記読み出したデータを上記データ転送先半導体メモリの上記ディレクトリと同名のディレクトリに転送することを特徴とする請求項２記載のデータ転送装置。
【請求項４】
上記データ転送元半導体メモリは、
所定のフォーマットに従って、転送するファイルのパスを記憶し、
上記データ転送手段は、
転送するファイルのパスを転送元半導体メモリから読み出し、上記ファイルのパスを基に、上記転送元半導体メモリのファイルを読み出し、上記読み出したファイルを上記転送先半導体メモリに転送することを特徴とする請求項２記載のデータ転送装置。
【請求項５】
上記所定のフォーマットとは、ＤＰＯＦ（Ｄｉｇｉｔａｌ  Ｐｒｉｎｔ  Ｏｒｄｅｒ  Ｆｏｒｍａｔ）であることを特徴とする請求項４記載のデータ転送装置。
【請求項６】
電池を装着する電池装着部を備え、
上記電池からの電源によって駆動することを特徴とする請求項１記載のデータ転送装置。
【請求項７】
所定のディレクトリ構造に従ってデータが記録される半導体メモリと上記所定のディレクトリ構造に従ってデータが記録される他の半導体メモリとの間のデータ転送を行うデータ転送方法であって、
上記所定のディレクトリ構造によって定義されたディレクトリのデータをデータ転送元の半導体メモリから読み出すディレクトリ読み出し工程と、
読み出したデータをデータ転送先の半導体メモリの上記ディレクトリと同名のディレクトリに転送するディレクトリ転送工程と
を有することを特徴とするデータ転送方法。
【請求項８】
所定のフォーマットに従って、ファイルのパスを記録する転送元半導体メモリと、転送先半導体メモリとの間のデータ転送を行うデータ転送方法であって、
上記ファイルのパスを上記転送元半導体メモリから読み出す読み出し工程と、上記ファイルのパスを基に、上記転送元半導体メモリに記録されたファイルを読み出すファイル読み出し工程と、
上記読み出したファイルを上記転送先半導体メモリに転送するファイル転送工程と
を有することを特徴とするデータ転送方法。
【請求項９】
上記所定のフォーマットとは、ＤＰＯＦであることを特徴とする請求項８記載のデータ転送方法。
【発明の詳細な説明】
【０００１】
【発明の属する技術分野】
本発明は、データ転送装置及びデータ転送方法に関し、特に、ある半導体メモリに記録されたデータを他の半導体メモリに転送するデータ転送装置及びデータ転送方法に関する。
【０００２】
【従来の技術】
近年、パーソナルコンピュータ（ＰＣ），デジタルビデオカメラ，デジタルスチルカメラ，ＰＤＡ（Ｐｅｒｓｏｎａｌ  Ｄｉｇｉｔａｌ  Ａｓｓｉｓｔａｎｔ）等の記録及び／又は再生を行う各種電子機器の普及に伴って、これら電子機器に対して着脱可能とされ、データの書き込み及び読み出しが行われるフラッシュメモリ等の半導体メモリが開発されている。
【０００３】
半導体メモリは、例えば、静止画データ、動画データ、オーディオデータ（音楽データ）といった複数種類のフォーマットのデータを混在して記録することができる。そのため、使用者は、半導体メモリを用いることによって、異なるフォーマットのデータを扱う複数の電子機器のそれぞれに対応する記録媒体を用いる必要がなく、１つの記録媒体を各電子機器間で相互利用することができる。
【０００４】
【発明が解決しようとする課題】
ところが、デジタルスチルカメラやＰＤＡなどの電子機器は、半導体メモリにデータを記録することはできるが、半導体メモリに記録されたデータを他の半導体メモリに転送する機能を有してはいない。
【０００５】
そのため、半導体メモリに記録されたデータを他の半導体メモリに転送する場合には、一旦ＰＣのハードディスクなどに記録し、記録したデータを他の半導体メモリに記録しなければならない。ＰＣはラップトップ型であっても、非常に重たく、場所をとるため、常に携帯することは難しい。
【０００６】
例えば、結婚式やパーティなどでは、顔見知りも多く、シャッターチャンスもたくさんあるので、画像の交換ができれば便利であるが、上述のような理由により、ＰＣを携帯する人ことは、ユーザの負担になってしまう。
【０００７】
本発明は、このような従来の実情に鑑みて提案されたものであり、小型で携帯可能なデータ転送装置及び単純な回路構成で実現できるデータ転送方法を提供することを目的とする。
【０００８】
【課題を解決するための手段】
上述した目的を達成するために、本発明に係るデータ転送装置は、２つの半導体メモリ装着部と、一方の半導体メモリ装着部に装着された半導体メモリに記録されたデータを他方の半導体メモリ装着部に装着された半導体メモリに転送するデータ転送手段とを備えることを特徴とする。
【０００９】
上述した課題を解決するために、本発明に係るデータ転送方法は、所定のディレクトリ構造に従ってデータが記録される半導体メモリと所定のディレクトリ構造に従ってデータが記録される他の半導体メモリとの間のデータ転送を行うデータ転送方法であって、所定のディレクトリ構造によって定義されたディレクトリのデータをデータ転送元の半導体メモリから読み出すディレクトリ読み出し工程と、読み出したデータをデータ転送先の半導体メモリのディレクトリと同名のディレクトリに転送するディレクトリ転送工程とを有することを特徴とする。
【００１０】
さらに、本発明に係るデータ転送工程は、所定のフォーマットに従って、ファイルのパスを記録する転送元半導体メモリと、転送先半導体メモリとの間のデータ転送を行うデータ転送方法であって、ファイルのパスを転送元半導体メモリから読み出す読み出し工程と、ファイルのパスを基に、転送元半導体メモリに記録されたファイルを読み出すファイル読み出し工程と、読み出したファイルを転送先半導体メモリに転送するファイル転送工程とを有することを特徴とする。
【００１１】
【発明の実施の形態】
以下、図面を参照して本発明を適用したデータ転送装置１について説明する。本発明を適用したデータ転送装置１は、ある半導体メモリに記録されたデータを他の半導体メモリに転送する装置である。
【００１２】
このデータ転送装置１は、図１に示すように、円盤型の本体部１１と、筒状の電池挿入部１２から構成されている。電池挿入部１２の先端には、紐１３が取り付けられており、データ転送装置１は、ユーザの首やカバンに引っ掛けられるようになっている。本体部１１には、半導体メモリ２を装着する半導体メモリ装着部２と、ユーザの指示を入力する指示ボタン１４とが設けられている。
【００１３】
指示ボタン１４は、円盤状の部材表面に“ｐｏｗｅｒ”，”ｅｘｃｈａｎｇｉｎｇ”，“ａｌａｒｍ”の三つ文字が記載されている。“ｐｏｗｅｒ”と記載された部分を押下すると電源がＯＮ／ＯＦＦされ、“ｅｘｃｈａｎｇｉｎｇ”と記載された部分を押下するとデータ転送が開始され、“ａｌａｒｍ”と記載された部分を押下するとアラーム１７が停止する。
【００１４】
また、指示ボタン１４の下方には、ＬＥＤ１６が設けられている。“ｐｏｗｅｒ”の下のＬＥＤ１６は電源のＯＮ／ＯＦＦ及び残量電池３４の有無などを示し、“ｅｘｃｈｅｎｇｉｎｇ”の下のＬＥＤ１６はデータ転送中か否かを示し、“ａｌａｒｍ”の下のＬＥＤ１６はエラーの発生などを示す。
【００１５】
半導体メモリ装着部１５には、データ転送元となる半導体メモリ２ａを装着する半導体メモリ装着部１５ａと、データ転送先となる半導体メモリ２ｂを装着する半導体メモリ装着部１５ｂとの２つの半導体メモリ装着部１５ａ，１５ｂがある。本実施の形態では、データ転送元となる半導体メモリ（転送元半導体メモリ２ａ）が装着される装着部を転送元半導体メモリ装着部１５ａと表し、データ転送先となる半導体メモリ（転送先半導体メモリ２ｂ）が装着される装着部を転送先半導体メモリ装着部１５ｂと表す。このデータ転送装置１では、転送元半導体メモリ２ａから転送先半導体メモリ２ｂへの片方向のデータ転送のみが実施可能である。片方向の転送のみとしたのは、データ転送装置１の内部処理を簡略化するためである。
【００１６】
また、データ転送装置１の内部には、信号処理部３が設けられている。信号処理部３は、図２に示すように、データ転送元半導体メモリ２ａとのインターフェース部３１、データ転送先半導体メモリ２ｂとのインターフェース部３２、データを一時的に格納するメモリ３３、データ転送装置１の動作を制御するＣＰＵ（Ｃｅｎｔｒａｌ  Ｐｒｏｃｅｓｓｉｎｇ  Ｕｎｉｔ）３０とを備えている。
【００１７】
また、データ転送装置１は、データ転送装置１の状態をユーザに通知したり、ユーザからの指示を入力したりする指示ボタン１４、ＬＥＤ１６、アラーム１７などのユーザインターフェースを備えている。この指示ボタン１４、ＬＥＤ１６、アラーム１７は、ＣＰＵ３０に接続されている。ＣＰＵ３０は、データ転送装置１の状態に応じて、ＬＥＤ１６の発光やアラーム１７の発音を制御し、転送の完了、転送中、エラーの発生などをユーザに通知したり、操作ボタンの押下信号を入力したりする。
【００１８】
メモリ３３は、データの一時格納領域であるとともに、仮想的なファイルシステムを構築する。このファイルシステムは、半導体メモリに記録された情報に基づいてＣＰＵ３０が作成する。また、メモリ３３は、転送するディレクトリ名を記録している。後述するように、半導体メモリ２のディレクトリは、静止画ファイルを格納するディレクトリ、オーディオファイルを格納するディレクトリ、ボイスファイルを格納するディレクトリ、付加情報ファイルを格納するディレクトリなどがある。メモリ３３は、データ転送装置１が転送するファイルの内容に応じてディレクトリ名を記録している。
【００１９】
ＣＰＵ３０は、転送元半導体メモリ２ａから所望のデータを読み出し、転送先半導体メモリ２ｂに転送する。ＣＰＵ３０は、ディレクトリ単位でのファイルの読み出し、書き込みを行う。半導体メモリは共通のファイルシステム及びディレクトリ構造を有する。すなわち、転送元半導体メモリ２ａに存在するディレクトリは、転送先半導体メモリ２ｂにも存在する。ＣＰＵ３０は、ディレクトリを指定することで、データの内容を指定することができる。これは、半導体メモリのディレクトリがデータの内容ごとに分かれているためである。
【００２０】
具体的に、半導体メモリは、ＦＡＴ（Ｆｉｌｅ  Ａｌｌｏｃａｔｉｏｎ  Ｔａｂｌｅ）と呼ばれる共通のファイルシステムを採用している。ＦＡＴとは、Ｗｉｎｄｏｗｓ（登録商標）やＤＯＳ（Ｄｉｓｋ  Ｏｐｅｒａｔｉｎｇ  Ｓｙｓｔｅｍ）のファイルシステムとして一般的に採用され、多くの組み込み機器でも使用されている。
【００２１】
半導体メモリのディレクトリ構造では、図３に示すように、ルートディレクトリに、“ＤＣＩＭ”、“ＨＩＦＩ”、“ＶＯＩＣＥ”、“ＣＯＮＴＲＯＬ”とが連結されている。“ＤＣＩＭ”は静止画ファイルを格納するディレクトリであり、“ＨＩＦＩ”はオーディオファイルを格納するディレクトリであり、“ＶＯＩＣＥ”はボイスファイルを格納するディレクトリであり、“ＣＯＮＴＲＯＬ”はコントロール情報ファイル等の付加情報ファイルを格納するディレクトリであり、“ＭＳ＊＊＊＊＊＊”はベンダ固有の情報を格納するディレクトリである。
【００２２】
そのため、画像ファイルを転送したい場合、ＣＰＵ３０は、転送元半導体メモリ２ａのディレクトリ“ＤＣＩＭ”に記録されたデータを読み出し、転送先半導体メモリ２ｂのディレクトリ“ＤＣＩＭ”に書き込む処理を行う。
【００２３】
また、オーディオファイルを転送したい場合、ＣＰＵ３０は、転送元半導体メモリ２ａのディレクトリ“ＨＩＦＩ”に記録されたデータを読み出し、転送先半導体メモリ２ｂのディレクトリ“ＨＩＦＩ”に書き込む処理を行う。このように、データ転送装置１は、ディレクトリを指定して、半導体メモリ間で特定のデータを転送することがきる。
【００２４】
上述した方法では、データ転送装置１は、ディレクトリ単位でのデータ転送を行ったが、ファイルごとのデータ転送を行うことも可能である。ここでは、データ転送装置１が指定された画像ファイルを転送する例について説明する。この例では、画像ファイルの指定に現行のデジタルカメラ等に備えられたファイル指定機能を用いる。
【００２５】
現行のデジタルカメラには、ＤＰＯＦ（Ｄｉｇｉｔａｌ  Ｐｒｉｎｔ  Ｏｒｄｅｒ  Ｆｏｒｍａｔ）というフォーマットを採用しているものがある。これは、プリンタやＤＥＰに対して、プリントする画像ファイルを指定するためのフォーマットである。このフォーマットでは、図４に示すように、ルートディレクトリの下の“ＭＩＳＣ”ディレクトリが設けられ、この“ＭＩＳＣ”ディレクトリに自動プリントを指定する“ＡＵＴＰＲＩＮＴ．ＭＡＫ（自動プリントファイル）”ファイルが格納されている。このファイルには、プリントしたい画像ファイルのプリントプロダクトＩＤなどが記述されている。ＣＰＵ３０は、このプリントしたい画像ファイルのパスを基に画像ファイルを読み出し、読み出した画像データを転送先半導体メモリ２ｂに記録する。
【００２６】
プリント指定は、現行のデジタルカメラで簡単に行うことができる。そのため、ユーザは、転送した画像ファイルにプリント指定を行い、指定した画像ファイルを他のユーザの半導体メモリなどに転送することができる。
【００２７】
図５は、現行のデジタルカメラ４を後ろからみた図である。このデジタルカメラでは、メニューを指定するメニュー指定ボタン４１と、メニュー内容を選択する選択ボタン４２と、画像及びメニュー選択内容を表示する表示部４３とが設けられている。このデジタルカメラ４でプリント指定を行う場合、ユーザは、メニュー指定ボタン４１と選択ボタン４２とでプリント指定処理開始を指示する。デジタルカメラ４は、プリント指定処理を開始すると、既に撮像された画像ファイルを図６に示すように一覧表示する。ユーザは、選択ボタン４２の押下により、画像ファイルを選択し、選択した画像ファイルのプリントを指示する。このように、現行のデジタルカメラ４では、ユーザが簡単に画像ファイルのプリント指定を行うことができる。このため、デジタルカメラ４と、ＰＣを携帯しなくても、データ転送装置１を携帯するだけで、画像ファイルの交換を行うことができる。
【００２８】
なお、ここでは、画像ファイルを転送する例について示したが、オーディオファイルやボイスファイルのパスを指定することができるのであれば、オーディオファイルやボイスファイルを転送することも可能である。
【００２９】
以上説明したように、本発明を適用したデータ転送装置１は、転送元半導体メモリ２ａを装着する半導体メモリ装着部１５ａと、転送先半導体メモリ２ｂを装着する半導体メモリ装着部１５ｂとを備え、転送元半導体メモリ２ａに記録されたデータを転送先半導体メモリ２ｂに転送する。
【００３０】
データ転送装置１は、転送元半導体メモリ２ａと転送先半導体メモリ２ｂのファイルシステムを構築し、転送先及び転送元のディレクトリを指定することによって、データの転送を行う。半導体メモリのディレクトリは、記録する内容によって区分されており、ディレクトリを指定するだけで、転送するデータの内容を指定することができる。このデータ転送装置１は、ユーザからのディレクトリ指定などの入力を受け付ける必要がなく、簡単な構成でデータの転送が可能である。
【００３１】
また、データ転送装置１は、ＤＰＯＦの自動プリントファイルを参照してファイルごとのデータ転送を行う。自動プリントファイルは、現行のデジタルカメラでも指定可能である。そのため、ＰＣを介することなく、デジタルカメラのみで転送するファイルを指定することができる。
【００３２】
また、データ転送装置１は、電池３４を挿入する電池挿入部を備え、市販の電池３４からの電源によって駆動するため、充電器などの複雑な構成は必要なく、構成を単純化することができる。
【００３３】
このデータ転送装置は、図面にも示したように半導体メモリ２の２倍ほどの直径を有する。半導体メモリ２は、後述するように２１ｍｍ程度であるので、データ転送装置１の直径は４０ｍｍ程になる。直径４０ｍｍの電子機器であれば、カバンの中に収容したり、首から架けたりして、携帯することが可能である。そのため、ユーザは、このデータ転送装置１を結婚式場や２次会などに携帯して行くことも可能であるし、常時、携帯することも可能である。
【００３４】
次に、上記データ転送装置の機能をデジタルカメラに適用した例を説明する。この例で示すデジタルカメラは、半導体メモリ２を装着する２つの半導体メモリ装着部を備える。さらに、デジタルカメラのメモリには、半導体メモリ２のディレクトリ構造を記録するメモリと静止画データを記録するディレクトリ“ＤＣＩＭ”の名称が記録されている。
【００３５】
デジタルカメラのＣＰＵは、挿入された２つの半導体メモリ２のファイルシステムを構築し、転送元半導体メモリのディレクトリ“ＤＣＩＭ”の内容を転送先半導体メモリのディレクトリ“ＤＣＩＭ”にコピーする。
【００３６】
また、デジタルカメラは、データ転送装置１と同様に、ファイルごとのデータ転送を行うことも可能である。このデジタルカメラのＣＰＵは、半導体メモリ２を装着する２つの半導体メモリ装着部と、転送するファイルのパスを記録したファイル“ＡＵＴＰＲＩＮＴ．ＭＡＫ”の名称が記録されている。
【００３７】
デジタルカメラのＣＰＵは、挿入された２つの半導体メモリ２のファイルシステムを構築し、転送元半導体メモリの“ＡＵＴＰＲＩＮＴ．ＭＡＫ”に記録されたファイルを転送先半導体メモリ“ＤＣＩＭ”に記録する。
【００３８】
なお、この例では、デジタルカメラに２つの半導体メモリ装着部を設けると説明したが、半導体メモリ装着部は増設せずに、２つのデジタルカメラをケーブルで繋いでデータ伝送するようにしてもよい。この場合、どちらか一方のデジタルカメラのデータ転送機能を設ければよい。
【００３９】
デジタルカメラにデータ転送機能を設けると、ＰＣやデータ転送装置１のようなデータ転送のための装置が不要になる。
【００４０】
なお、本発明は上述した実施の形態のみに限定されるものではなく、本発明の要旨を逸脱しない範囲において種々の変更が可能であることは勿論である。
【００４１】
例えば、本実施例では、データ転送装置１は、片方向のデータ転送のみを行うと説明したが、両方向のデータ転送を行ってもよい。
【００４２】
また、転送するデータを格納したディレクトリ名は、固定であってもよい。例えば、データ転送装置１が画像データ専用の転送装置であれば、ディレクトリの名称を“ＤＣＩＭ”に固定すればよい。また、データ転送装置１の転送内容が固定でなければ、転送データの内容を指示する指示ボタン１４を設け、この指示ボタン１４からの入力内容に応じて、転送するデータの内容を切り替えてもよい。
【００４３】
また、ディレクトリ名及びファイルのパスを用いてデータを転送する機能は、デジタルカメラ、ビデオカメラ、携帯電話など様々な電子機器に適用することができる。
【００４４】
さらに、データ転送装置１の外観は、本実施の形態及び図面に記載されたものには限定されない。
【００４５】
以下に、本実施の形態で使用した半導体メモリ２を示す。半導体メモリ２は、例えば図７（Ａ）及び図７（Ｂ）に示すような外観を呈する。すなわち、この半導体メモリ２は、例えば、縦寸法５０ｍｍ、横寸法２１．５ｍｍ、厚さ寸法２．８ｍｍの筐体２１を備えるとともに、データ転送装置１に装着された場合におけるシリアルバスの状態を示すバスステート、各種データ及びクロック等が入出力される１０ピンの端子２２を備える。また、半導体メモリ２は、記録されているデータの誤消去を防止するための誤消去防止スイッチ２３を備える。
【００４６】
また、半導体メモリ２は、図８に示すように、データ転送装置１からの各種データ等を記憶する例えば数メガバイト乃至数十メガバイトの記憶容量を有するフラッシュメモリ２４と、このフラッシュメモリ２４の内容の管理等を行うメモリコントローラ２５と、データ転送装置１に装着され各種データ等の入出力を行うインターフェース部２６とを備える。
【００４７】
このような半導体メモリ２は、１０ピンの端子２２のうち、データ、クロック及びバスステート用の３ピンの端子のみを用いて、データ転送装置１との間でこれらのデータ、クロック及びバスステートの送受信を行う。ここで、クロック及びバスステートは、データ転送装置１から供給され、データは、双方向の半２重転送によりデータ転送装置１との間で送受信される。半導体メモリ２は、データとして制御パケットをデータ転送装置１との間で送受信する場合には、例えばクロックの最大周波数を２０ＭＨｚとし、５１２バイト単位を基本としたエラーチェックコードを付加して転送を行う。
【００４８】
半導体メモリ２は、メモリコントローラ２５によって、シリアルインターフェースのプロトコルにしたがって処理を行い、フラッシュメモリ２４を制御する。
【００４９】
具体的には、半導体メモリ２は、例えばフラッシュメモリ２４が複数のフラッシュメモリからなる場合には、メモリコントローラ２５によって、各フラッシュメモリを制御する。また、半導体メモリ２は、例えばフラッシュメモリの種類が異なる複数のフラッシュメモリからなる場合には、メモリコントローラ２５によって、各種フラッシュメモリの特性差を吸収して各フラッシュメモリを制御するとともに、各種フラッシュメモリのエラー特性に応じたエラー訂正処理を行う。さらに、半導体メモリ２は、メモリコントローラ２５によって、パラレルデータをシリアルデータに変換する処理を行う。
【００５０】
半導体メモリ２は、このようなメモリコントローラ２５によりシリアルインターフェースのプロトコルに準じた処理を行うことで、現在存在しているいかなるフラッシュメモリ２４であっても、または、将来登場するいかなるフラッシュメモリ２４であっても対応可能となる。
【００５１】
そして、半導体メモリ２は、静止画データのフォーマットとしてＪＥＩＤＡ（日本電子工業振興協会）で規格化されているＤＣＦ（Ｄｅｓｉｇｎ  ｒｕｌｅ  ｆｏｒ  Ｃａｍｅｒａ  Ｆｉｌｅ  ｓｙｓｔｅｍ）を採用し、オーディオデータのフォーマットとしてＩＴＵ−Ｔ（国際電気通信連合）勧告Ｇ．７２６のＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）を採用している。
【００５２】
このような半導体メモリ２を外部記憶装置として用いることによって、使用者は、異なるフォーマットのデータを扱う複数の電子機器間で１つの半導体メモリ２を相互利用することができる。
【００５３】
【発明の効果】
以上詳細に説明したように、本発明は、半導体メモリを装着する２つの半導体メモリ装着部を備え、一方の半導体メモリに記録されたデータを他方の半導体メモリ装着部に装着された半導体メモリに転送する。
【００５４】
また、本発明は、片方向のデータ転送を行うため、双方向のデータ転送と比較して、処理が簡単になり、回路規模を小さくすることができる。
【００５５】
また、本発明は、所定のディレクトリ構造に従い、データを転送するディレクトリを予め決めており、そのディレクトリのデータ転送するため、処理が簡単になり、構成を簡素化することができる。
【００５６】
また、本発明は、所定のフォーマットに従い、転送するファイルのパスを読み出し、このパスに基づいて転送するファイルを読み出し、データ転送を行うため、ファイル指定を受け付ける構成が不要であり、処理が簡単になり構成を簡素化できる。
【００５７】
本発明に係るデータ転送装置は、簡単な構成でデータを転送するため、装置を小型化することができ、ユーザがこのデータ転送装置を携帯することができる。
【図面の簡単な説明】
【図１】データ転送装置の外観を示す図である。
【図２】データ転送装置の内部構成を示す図である。
【図３】半導体メモリのディレクトリ構造を示す図である。
【図４】ＤＰＯＦに準拠した半導体メモリのディレクトリ構造を示す図である。
【図５】デジタルカメラの一例を示す図である。
【図６】プリント指定をする際の表示画面例を示す図である。
【図７】半導体メモリの外観を示す図である。
【図８】半導体メモリの内部構成を示す図である。
【符号の説明】
１  データ転送装置、２ａ  転送元半導体メモリ、２ｂ  転送先半導体メモリ、３  信号処理部、１１  本体部、１２  電池挿入部、１４  指示ボタン、１５ａ  転送元半導体メモリ装着部、１５ｂ  転送先半導体メモリ装着部、１６  ＬＥＤ、１７  アラーム、２４  フラッシュメモリ、２５  メモリコントローラ、２６  インターフェース部、３０  ＣＰＵ、３１  インターフェース部、３２  インターフェース部、３３  メモリ、３４  電池
【図１】
2004246508.tif 000003
【図２】
2004246508.tif 000004
【図３】
2004246508.tif 000005
【図４】
2004246508.tif 000006
【図５】
2004246508.tif 000007
【図６】
2004246508.tif 000008
【図７】
2004246508.tif 000009
【図８】
2004246508.tif 000010